【手続補正書】
【提出日】平成27年12月8日(2015.12.8)
【手続補正１】
【補正対象書類名】特許請求の範囲
【補正対象項目名】全文
【補正方法】変更
【補正の内容】
【特許請求の範囲】
【請求項１】
サーバーにおいて、前記サーバー上のコンテンツにアクセスするための第１の要求をユーザーから受け取るステップと、
セキュリティ・データーストアから、前記受け取られた第１の要求に応答して前記要求されたコンテンツにアクセスするための前記ユーザーのアクセス特権の値を取得するステップと、
前記要求されたコンテンツにアクセスするための前記ユーザーの前記取得されたアクセス特権の値と、前記コンテンツにアクセスするための前記ユーザーの前記アクセス特権の値を受信した時刻に関連する１または複数のパラメーターとを、前記サーバー上のキャッシュに格納するステップであって、前記パラメーターの１つは、前記コンテンツに対する前記アクセス特権の値についての有効期限（ＴＴＬ）である、ステップと、
前記コンテンツにアクセスするための前記ユーザーの前記受信されたアクセス特権の値が所定の前の時間期間において肯定的である回数に基づいて、前記ＴＴＬの時間の長さを調整するステップと、
前記サーバーにおいて、前記サーバー上の前記コンテンツにアクセスするための第２の要求を前記ユーザーから受け取るステップと、
前記第２の要求を受け取ることに応答して、前記サーバーにおいて、前記コンテンツにアクセスするための前記ユーザーの前記アクセス特権の値についての前記ＴＴＬの値を評価して、前記コンテンツにアクセスするための前記ユーザーの前記格納されたアクセス特権の値の有効性を判断するステップと、
前記コンテンツにアクセスするための前記ユーザーの前記格納されたアクセス特権の値が有効であると判断したときに、前記ユーザーが前記サーバー上の前記コンテンツにアクセスすることを可能にするステップと、
を含む方法。
【請求項２】
前記コンテンツに対する前記格納されたアクセス特権の値が無効であると判断したときに、前記コンテンツに対する更新されたアクセス特権の値を求める要求をセキュリティ・データーストアへ送るステップと、
前記コンテンツに対する前記更新されたアクセス特権の値を受け取るステップと、
前記要求に応答して、前記コンテンツに対する前記更新されたアクセス特権の値を伝達するステップと、
を更に含む、請求項１に記載の方法。
【請求項３】
前記コンテンツに対する前記格納されたアクセス特権の値を前記コンテンツに対する前記更新されたアクセス特権の値で更新するステップと、
前記コンテンツに対する前記アクセス特権の値を受信した時刻に関連する前記１または複数のパラメーターを更新するステップと、
を更に含む、請求項２に記載の方法。
【請求項４】
前記１または複数のパラメーターは、前記コンテンツに対する前記アクセス特権の値が最後に受信された時刻を含む、請求項１に記載の方法。
【請求項５】
前記セキュリティ・データーストアに要求を送るステップは、多数のセキュリティ・データーストアに要求を送るステップを更に含む、請求項２に記載の方法。
【請求項６】
コンピューター・システム上の計算プロセッサーによって実行された時に、前記計算プロセッサーにコンピューター・プロセスを実施させるコンピューター実行可能命令をエンコードした１または複数のコンピューター読み取り可能記憶デバイスであって、前記コンピューター・プロセスは、
前記コンピューター・システム上のコンテンツにアクセスするための第１の要求をユーザーから受け取るステップと、
セキュリティ・データーストアから、前記受け取られた第１の要求に応答して前記要求されたコンテンツにアクセスするための前記ユーザーのアクセス特権の値を取得するステップと、
前記要求されたコンテンツにアクセスするための前記ユーザーの前記取得されたアクセス特権の値と、前記コンテンツにアクセスするための前記ユーザーの前記アクセス特権の値に関連する１または複数のパラメーターとを、キャッシュに格納するステップであって、前記パラメーターの１つは、前記コンテンツに対する前記アクセス特権の値についての有効期限（ＴＴＬ）である、ステップと、
前記コンテンツにアクセスするための前記ユーザーの前記受信されたアクセス特権の値が所定の前の時間期間において肯定的である回数に基づいて、前記ＴＴＬの時間の長さを調整するステップと、
その後、前記サーバー上の前記コンテンツにアクセスするための第２の要求を前記ユーザーから受け取るステップと、
前記第２の要求を受け取ることに応答して、
前記コンテンツにアクセスするための前記ユーザーの前記アクセス特権の値に関連する、前記キャッシュに格納された前記ＴＴＬの値の評価を実施するステップと、
前記実施された評価に基づいて、前記コンテンツにアクセスするための前記ユーザーの前記格納されたアクセス特権の値の有効性を判断するステップと、
を含む、コンピューター読み取り可能記憶デバイス。
【請求項７】
計算プロセッサーと、命令を収容したメモリーとを有する計算システムであって、前記命令は、前記計算プロセッサーによって実行されると、前記計算プロセッサーに、
前記計算システムにおいて、あるコンテンツにアクセスするための第１の要求をユーザーから受け取るステップと、
セキュリティ・データーストアから、前記受け取られた第１の要求に応答して前記要求されたコンテンツにアクセスするための前記ユーザーのアクセス特権の値を取得するステップと、
前記要求されたコンテンツにアクセスするための前記ユーザーの前記取得されたアクセス特権の値と、前記コンテンツにアクセスするための前記ユーザーの前記アクセス特権の値を受信した時刻に関連する１または複数のパラメーターとを、前記計算システム上のキャッシュに格納するステップであって、前記パラメーターの１つは、前記コンテンツに対する前記アクセス特権の値についての有効期限（ＴＴＬ）である、ステップと、
前記セキュリティ・データーストアへの１または複数の以前の要求と、対応する取得された前記アクセス特権の値との履歴に基づいて、前記ＴＴＬの時間の長さを調整するステップと、
前記サーバーにおいて、前記コンテンツにアクセスするための第２の要求を前記ユーザーから受け取るステップと、
前記第２の要求を受け取ることに応答して、前記コンテンツにアクセスするための前記ユーザーの前記アクセス特権の値に関連する前記ＴＴＬの値に基づいて、前記キャッシュに格納されている前記ユーザーの前記アクセス特権の値の有効性を判断するステップと、
前記コンテンツにアクセスするための前記ユーザーの前記格納されたアクセス特権の値が有効であると判断することに応答して、前記ユーザーが前記コンテンツにアクセスすることを可能にするステップと、
を含むプロセスを実施させる、計算システム。
【請求項８】
前記コンテンツに対する前記アクセス特権の値に関連する前記１または複数のパラメーターは、前記要求されたコンテンツに対する前記アクセス特権の値を受信した時刻に関連する１または複数のパラメーターを含む、請求項７に記載の計算システム。
【請求項９】
前記１または複数のパラメーターは、前記要求されたコンテンツに対する前記アクセス特権の値が最後に受信された時刻を含む、請求項７に記載の計算システム。
【請求項１０】
前記計算プロセッサーによって実施される前記プロセスは、前記要求されたコンテンツに対する受信された前記アクセス特権の値が失敗値または不確定値のうちの少なくとも１つを示すことに応答して、次の要求が前記セキュリティ・データーストアへ送信される前の時間を示す要求カウンタまでの時間を更新するステップを更に含む、請求項７に記載の計算システム。